(57)【要約】【課題】映像の明るさとクロストークのバランスを調整できる技術を提供する。【解決手段】３Ｄメガネ２０は、３Ｄ画像を構成する左目用画像と右目用画像とを駆動によって透過させるシャッター部２４０と、シャッター部２４０の駆動タイミングを調整するためのタイミング調整情報の入力を受け付ける調整情報受付部２８０と、調整情報受付部２８０によって受け付けられたタイミング調整情報を送信する調整情報送信部２２４と、３Ｄ画像の表示タイミングと調整情報送信部２２４によって送信されたタイミング調整情報とに従って生成された同期信号を受信する同期信号受信部２２２と、同期信号受信部２２２によって受信された同期信号に従ってシャッター部２４０を駆動させるシャッター駆動部２３０とを備える。【選択図】図１
2013214921.tif 000002
【特許請求の範囲】
【請求項１】
立体画像を構成する左目用画像と右目用画像とを透過させるシャッター部と、
前記シャッター部の駆動タイミングを調整するためのタイミング調整情報の入力を受け付ける調整情報受付部と、
前記調整情報受付部によって受け付けられた前記タイミング調整情報を送信する調整情報送信部と、
前記立体画像の表示タイミングと前記調整情報送信部によって送信された前記タイミング調整情報とに従って生成された同期信号を受信する同期信号受信部と、
前記同期信号受信部によって受信された前記同期信号に従って前記シャッター部を駆動させるシャッター駆動部と
を備えることを特徴とするシャッター装置。
【請求項２】
前記調整情報受付部は、
前記立体画像を表示する画像表示装置において前記立体画像の輝度レベルを調整するための輝度レベル調整情報の入力を受け付け、
前記調整情報送信部は、
前記調整情報受付部によって受け付けられた前記輝度レベル調整情報を送信する
ことを特徴とする請求項１に記載のシャッター装置。
【請求項３】
左目用画像及び右目用画像を含む立体画像を表示する画像表示部と、
前記立体画像を視るために用いられるシャッター装置から送信された、前記立体画像の表示タイミングと前記シャッター装置との同期を調整するためのタイミング調整情報を受信する調整情報受信部と、
前記表示タイミングと、前記調整情報受信部によって受信された前記タイミング調整情報とに従って、前記シャッター装置に送信する同期信号を生成する同期信号生成部と
を備えることを特徴とする画像表示装置。
【請求項４】
前記同期信号生成部は、
前記表示タイミングに基づく前記同期信号を前記タイミング調整情報に基づいて補正し、前記シャッター装置に送信する前記同期信号を生成する
ことを特徴とする請求項３に記載の画像表示装置。
【請求項５】
前記同期信号生成部は、
前記表示タイミングに基づく前記同期信号による左目用画像及び右目用画像の透過時間の中心時刻を変化させないように、前記シャッター装置に送信する前記同期信号を生成する
ことを特徴とする請求項４に記載の画像表示装置。
【請求項６】
前記表示タイミングと、前記調整情報受信部によって受信された前記タイミング調整情報とに従って、前記画像表示部の光源の発光タイミングを制御する発光タイミング制御部
を更に備えることを特徴とする請求項３乃至請求項５の何れか１項に記載の画像表示装置。
【請求項７】
前記調整情報受信部は、
複数の前記シャッター装置の夫々から送信された前記タイミング調整情報を受信し、
前記表示タイミングと、前記調整情報受信部によって受信された夫々の前記タイミング調整情報とに従って、夫々の前記シャッター装置に送信する夫々の同期信号を生成し、
前記発光タイミング制御部は、
前記表示タイミングと、夫々の前記タイミング調整情報のうち左目用画像及び右目用画像の透過時間を最大に調整する前記タイミング調整情報とに従って、前記光源の発光タイミングを制御する
ことを特徴とする請求項６に記載の画像表示装置。
【請求項８】
前記立体画像の輝度レベルを制御する輝度レベル制御部
を更に備え、
前記調整情報受信部は、
前記立体画像の輝度レベルを調整するために前記シャッター装置から送信された輝度レベル調整情報を受信し、
前記輝度レベル制御部は、
前記調整情報受信部によって受信された前記輝度レベル調整情報に従って、前記立体画像の輝度レベルを制御することを特徴とする請求項３乃至請求項７の何れか１項に記載の画像表示装置。
【請求項９】
前記調整情報受信部は、
複数の前記シャッター装置の夫々から送信された前記輝度レベル調整情報を受信し、
前記輝度レベル制御部は、
前記調整情報受信部によって受信された夫々の前記輝度レベル調整情報のうち前記輝度レベルを最大に調整する前記輝度レベル調整情報に従って、前記立体画像の輝度レベルを制御する
ことを特徴とする請求項８に記載の画像表示装置。
【請求項１０】
立体画像を構成する左目用画像と右目用画像とを駆動によって透過させるシャッター部を備えるシャッター装置におけるタイミング調整方法であって、
前記シャッター装置の調整情報受付部が、前記シャッター部の駆動タイミングを調整するためのタイミング調整情報の入力を受け付け、
前記シャッター装置の調整情報送信部が、前記調整情報受付部によって受け付けられた前記タイミング調整情報を送信し、
前記シャッター装置の同期信号受信部が、前記立体画像の表示タイミングと前記調整情報送信部によって送信された前記タイミング調整情報とに従って生成された同期信号を受信し、
前記シャッター装置のシャッター駆動部が、前記同期信号受信部によって受信された前記同期信号に従って前記シャッター部を駆動させることを特徴とするタイミング調整方法。
【請求項１１】
左目用画像及び右目用画像を含む立体画像を表示する画像表示装置におけるタイミング調整方法であって、
前記画像表示装置の調整情報受信部が、前記立体画像を視るために用いられるシャッター装置から送信された、前記立体画像の表示タイミングと前記シャッター装置との同期を調整するためのタイミング調整情報を受信し、
前記画像表示装置の同期信号生成部が、前記表示タイミングと、前記調整情報受信部によって受信された前記タイミング調整情報とに従って、前記シャッター装置に送信する同期信号を生成することを特徴とするタイミング調整方法。
【発明の詳細な説明】
【技術分野】
【０００１】
本発明は、シャッター装置、画像表示装置、及び、タイミング調整方法に関するものである。
【背景技術】
【０００２】
従来、左目用画像及び右目用画像から構成される３Ｄ画像を出力する画像出力装置と、当該画像出力装置から出力された３Ｄ画像を視るために用いられる３Ｄメガネとを備えるシステムが知られている（例えば、特許文献１参照）。上記システムにおいて、３Ｄメガネは、左目用画像と右目用画像とを交互に透過させる（左目と右目に交互に光を透過、遮断させる）ように駆動する左右のシャッターを備え、外部から受信した同期信号に基づいてシャッター駆動信号を生成し、シャッター駆動信号による駆動タイミングでシャッターを駆動させている。
【先行技術文献】
【特許文献】
【０００３】
【特許文献１】特開２０１０−６１１０５号公報
【発明の概要】
【発明が解決しようとする課題】
【０００４】
しかしながら、３Ｄメガネが受信する同期信号は、３Ｄ画像の表示タイミングに基づき３Ｄメガネのシャッターが所定の駆動タイミングで駆動するように予め規定されたものである。つまり、３Ｄメガネのシャッターの駆動タイミングは一定である。従って、以下のような問題が生じる。
１．既定の駆動タイミングによるシャッター開口時間が、あるユーザーにとって長い場合、そのユーザーは、映像が暗いと感じ難いが、左目用画像と右目用画像とが重なって見え易い。即ち、不快感を生むクロストークを感じ易い。
２．既定の駆動タイミングによるシャッター開口時間が、あるユーザーにとって短い場合、そのユーザーは、不快感を生むクロストークを感じ難いが、映像が暗いと感じ易い。
クロストークの感度は個人差がある。そのため、クロストークを感じ難いユーザーであれば、映像を明るくするためにシャッター開口時間を長くしてもクロストークを感じない場合がある。また例えば、クロストークを感じ易いユーザーであれば、映像を暗くしてでも、シャッター開口時間を短くしてクロストークを低減させたい場合がある。ところが、上述の如く、３Ｄメガネのシャッターの駆動タイミングは一定であるため、映像の明るさとクロストークのバランスを調整できないという問題がある。
【０００５】
本発明はこのような事情に鑑みてなされたものであって、映像の明るさとクロストークのバランスを調整できる技術を提供する。また、上記バランスの調整に応じて３Ｄ画像を表示する光源を制御する技術を提供する。
【課題を解決するための手段】
【０００６】
上記問題を解決するために、本発明の一態様であるシャッター装置は、立体画像を構成する左目用画像と右目用画像とを透過させるシャッター部と、前記シャッター部の駆動タイミングを調整するためのタイミング調整情報の入力を受け付ける調整情報受付部と、前記調整情報受付部によって受け付けられた前記タイミング調整情報を送信する調整情報送信部と、前記立体画像の表示タイミングと前記調整情報送信部によって送信された前記タイミング調整情報とに従って生成された同期信号を受信する同期信号受信部と、前記同期信号受信部によって受信された前記同期信号に従って前記シャッター部を駆動させるシャッター駆動部とを備えることを特徴とする。
上記構成によれば、シャッター装置においてタイミング調整情報を入力すれば、画像表示装置は調整情報に応じた同期信号を生成するため、シャッター装置のユーザーは、当該シャッター装置上の操作によってタイミング調整情報を入力し、自身の感覚に応じたクロストークと明るさのバランスを調整することできる。また、画像表示装置が調整情報に応じて光源の発光タイミングを制御する場合には、上記バランスに応じた発光タイミングになるように画像表示装置を制御することができる。
【０００７】
上記シャッター装置において、前記調整情報受付部は、前記立体画像を表示する画像表示装置において前記立体画像の輝度レベルを調整するための輝度レベル調整情報の入力を受け付け、前記調整情報送信部は、前記調整情報受付部によって受け付けられた前記輝度レベル調整情報を送信するようにしてもよい。
上記構成によれば、シャッター装置において輝度レベル調整情報を入力すれば、画像表示装置は調整情報に応じて輝度レベルに調整するため、シャッター装置のユーザーは、当該シャッター装置上の操作によって輝度レベル調整情報を入力し、利用シーンに応じて最適な明るさを選択することができる。
【０００８】
上記問題を解決するために、本発明の他の態様である画像処理装置は、左目用画像及び右目用画像を含む立体画像を表示する画像表示部と、前記立体画像を視るために用いられるシャッター装置から送信された、前記立体画像の表示タイミングと前記シャッター装置との同期を調整するためのタイミング調整情報を受信する調整情報受信部と、前記表示タイミングと、前記調整情報受信部によって受信された前記タイミング調整情報とに従って、前記シャッター装置に送信する同期信号を生成する同期信号生成部とを備えることを特徴とする。
上記構成によれば、シャッター装置においてタイミング調整情報を入力すれば、画像表示装置は調整情報に応じた同期信号を生成するため、シャッター装置のユーザーは、当該シャッター装置上の操作によってタイミング調整情報を入力し、自身の感覚に応じたクロストークと明るさのバランスを調整することできる。
【０００９】
上記画像処理装置において、前記同期信号生成部は、前記表示タイミングに基づく前記同期信号を前記タイミング調整情報に基づいて補正し、前記シャッター装置に送信する前記同期信号を生成するようにしてもよい。
上記構成によれば、既定の同期信号を補正して所望の同期信号を得ることができる。
【００１０】
上記画像処理装置において、前記同期信号生成部は、前記表示タイミングに基づく前記同期信号による左目用画像及び右目用画像の透過時間の中心時刻を変化させないように、前記シャッター装置に送信する前記同期信号を生成するようにしてもよい。
上記構成によれば、左目用画像と右目用画像との切り替わりが見えないようにしつつ、シャッター開口時間を最大限に長くする調整することができる。
【００１１】
上記画像処理装置は、前記表示タイミングと、前記調整情報受信部によって受信された前記タイミング調整情報とに従って、前記画像表示部の光源の発光タイミングを制御する発光タイミング制御部を更に備えるようにしてもよい。
上記構成によれば、上記バランスに応じた発光タイミングになるように画像表示装置を制御することができる。
【００１２】
上記画像処理装置において、前記調整情報受信部は、複数の前記シャッター装置の夫々から送信された前記タイミング調整情報を受信し、前記表示タイミングと、前記調整情報受信部によって受信された夫々の前記タイミング調整情報とに従って、夫々の前記シャッター装置に送信する夫々の同期信号を生成し、前記発光タイミング制御部は、前記表示タイミングと、夫々の前記タイミング調整情報のうち左目用画像及び右目用画像の透過時間を最大に調整する前記タイミング調整情報とに従って、前記光源の発光タイミングを制御するようにしてもよい。
上記構成によれば、何れのユーザーの視聴に対しても、必要な光を確保しつつ節電可能な最適な発光タイミングを得ることができる。
【００１３】
上記画像処理装置は、前記立体画像の輝度レベルを制御する輝度レベル制御部を更に備え、前記調整情報受信部は、前記立体画像の輝度レベルを調整するために前記シャッター装置から送信された輝度レベル調整情報を受信し、前記輝度レベル制御部は、前記調整情報受信部によって受信された前記輝度レベル調整情報に従って、前記立体画像の輝度レベルを制御するようにしてもよい。
上記構成によれば、シャッター装置において輝度レベル調整情報を入力すれば、画像表示装置は調整情報に応じて輝度レベルに調整するため、シャッター装置のユーザーは、当該シャッター装置上の操作によって輝度レベル調整情報を入力し、利用シーンに応じて最適な明るさを選択することができる。
【００１４】
上記画像処理装置において、前記調整情報受信部は、複数の前記シャッター装置の夫々から送信された前記輝度レベル調整情報を受信し、前記輝度レベル制御部は、前記調整情報受信部によって受信された夫々の前記輝度レベル調整情報のうち前記輝度レベルを最大に調整する前記輝度レベル調整情報に従って、前記立体画像の輝度レベルを制御するようにしてもよい。
上記構成によれば、何れのユーザーの視聴に対しても、必要な光を確保することができる。
【００１５】
上記問題を解決するために、本発明の他の態様であるタイミング調整方法は、立体画像を構成する左目用画像と右目用画像とを駆動によって透過させるシャッター部を備えるシャッター装置におけるタイミング調整方法であって、前記シャッター装置の調整情報受付部が、前記シャッター部の駆動タイミングを調整するためのタイミング調整情報の入力を受け付け、前記シャッター装置の調整情報送信部が、前記調整情報受付部によって受け付けられた前記タイミング調整情報を送信し、前記シャッター装置の同期信号受信部が、前記立体画像の表示タイミングと前記調整情報送信部によって送信された前記タイミング調整情報とに従って生成された同期信号を受信し、前記シャッター装置のシャッター駆動部が、前記同期信号受信部によって受信された前記同期信号に従って前記シャッター部を駆動させることを特徴とする。
上記構成によれば、上述の効果を得ることができる。
【００１６】
上記問題を解決するために、本発明の他の態様であるタイミング調整方法は、左目用画像及び右目用画像を含む立体画像を表示する画像表示装置におけるタイミング調整方法であって、前記画像表示装置の調整情報受信部が、前記立体画像を視るために用いられるシャッター装置から送信された、前記立体画像の表示タイミングと前記シャッター装置との同期を調整するためのタイミング調整情報を受信し、前記画像表示装置の同期信号生成部が、前記表示タイミングと、前記調整情報受信部によって受信された前記タイミング調整情報とに従って、前記シャッター装置に送信する同期信号を生成することを特徴とする。
上記構成によれば、上述の効果を得ることができる。
【図面の簡単な説明】
【００１７】
【図１】本発明の第１の実施形態による、画像表示装置及びシャッター装置を含む画像表示システムの機能ブロック図の一例である。
【図２】本発明の第１の実施形態による調整情報に関する画面例である。
【図３】本発明の第１の実施形態による調整情報の記憶例である。
【図４】本発明の第１の実施形態における、タイミング調整情報と、生成される同期信号と、シャッター装置の駆動タイミングとの関係を説明する説明図である。
【図５】本発明の第１の実施形態における、タイミング調整情報と、生成される同期信号と、シャッター装置の駆動タイミングとの関係を説明する説明図である。
【図６】本発明の第１の実施形態における、タイミング調整情報と、生成される同期信号と、シャッター装置の駆動タイミングとの関係を説明する説明図である。
【図７】本発明の第１の実施形態による光源の制御例である。
【図８】本発明の第１の実施形態による、画像表示装置及びシャッター装置を含む画像表示システムの動作の一例を示すフローチャートである。
【図９】本発明の第１の実施形態による、画像表示装置及びシャッター装置を含む画像表示システムの動作の一例を示すフローチャートである。
【図１０】本発明の第２の実施形態による、画像表示装置及びシャッター装置を含む画像表示システムの機能ブロック図の一例である。
【発明を実施するための形態】
【００１８】
（第１の実施形態）
以下、本発明の第１の実施形態について図面を参照して詳細に説明する。図１は、本発明の第１の実施形態による、画像表示装置１０及びシャッター装置を含む画像表示システム１の機能ブロック図の一例である。
【００１９】
画像表示システム１は、図１に示すように、左目用画像及び右目用画像を含む３Ｄ画像（立体画像）を表示する画像表示装置１０と、３Ｄ画像を視るために用いられる３Ｄ画像観賞用メガネ（シャッター装置。以下、「３Ｄメガネ」という）２０とを備える。画像表示装置１０は、例えば、３Ｄテレビ、プロジェクターなどが該当する。なお、図１において１つの３Ｄメガネ２０を示したが、画像表示システム１は複数の３Ｄメガネ２０を備えていてもよい。
【００２０】
（画像表示装置１０）
画像表示装置１０は、制御部（ＣＰＵ）１００、画像表示部１１０、通信部１２０及び調整情報記憶部１９０を備える。制御部１００は、画像制御部１０２、光源制御部１０４、表示タイミング制御部１０６及び同期信号生成部１０８を有する。光源制御部１０４は、発光タイミング制御部１０４ａ及び輝度レベル制御部１０４ｂを有する。画像表示部１１０は、液晶パネル１１２及び光源１１４を有する。通信部１２０は、同期信号送信部１２２及び調整情報受信部１２４を有する。
【００２１】
画像制御部１０２は、外部又は内部から３Ｄ画像を取得（受信）する。例えば、画像制御部１０２は、外部装置（例えば、パーソナルコンピューター、サーバー）から３Ｄ画像を取得する。また、例えば、画像表示装置１０がアンテナ部（非図示）を備える場合、画像制御部１０２は、アンテナ部を介して、放送局（放送波）から３Ｄ画像を受信する。また、例えば、画像表示装置１０が画像記憶部（非図示）を内蔵する場合、画像制御部１０２は、画像記憶部から３Ｄ画像を取得する。画像制御部１０２は、取得した３Ｄ画像を一時記憶する。
【００２２】
また、画像制御部１０２は、表示タイミング（表示タイミング信号）を取得する。画像制御部１０２は、外部（例えば、パーソナルコンピューター、サーバー、放送局）から３Ｄ画像を取得する態様の場合、表示タイミング制御部１０６から表示タイミングを取得する。また、画像制御部１０２は、内部（例えば、内蔵する画像記憶部）から３Ｄ画像を取得する態様の場合、内部（例えば、表示タイミング記憶部（非図示））から表示タイミングを取得してもよい。
【００２３】
画像制御部１０２は、表示タイミングを取得した場合、取得した表示タイミングにて、一時記憶している３Ｄ画像を液晶パネル１１２に出力する。即ち、画像制御部１０２は、一時記憶している３Ｄ画像に対し必要な処理（スケーリング、キーストーン、フレームレート変換等）を実行し、取得した表示タイミングで液晶パネル１１２を駆動して３Ｄ画像を表示する。
【００２４】
また、画像制御部１０２は、表示タイミング制御部１０６から表示タイミングを取得した場合、表示タイミング制御部１０６から取得した表示タイミングを光源制御部１０４に出力する。また、画像制御部１０２は、表示タイミング記憶部から表示タイミングを取得した場合、表示タイミング記憶部から取得した表示タイミングを光源制御部１０４及び表示タイミング制御部１０６に出力する。
【００２５】
光源制御部１０４は、画像制御部１０２から表示タイミングを取得する。光源制御部１０４は、画像制御部１０２から表示タイミングを取得した場合、調整情報記憶部１９０に記憶されている調整情報に従って、光源１１４を制御する。具体的には、発光タイミング制御部１０４ａは、画像制御部１０２から取得した表示タイミングと調整情報記憶部１９０に記憶されているタイミング調整情報（後述）とに従って、画像表示部１１０の光源の発光タイミングを制御する。また、輝度レベル制御部１０４ｂは、調整情報記憶部１９０に記憶されている輝度レベル調整情報（後述）に従って、３Ｄ画像の輝度レベルを制御する。なお、光源制御部１０４（発光タイミング制御部１０４ａ及び輝度レベル制御部１０４ｂ）の詳細は後述する。
【００２６】
液晶パネル１１２は、画像制御部１０２から取得した３Ｄ画像を表す画像データに基づいて、光源１１４から射出された光を変調する光変調装置である。なお、画像表示装置１０がプロジェクターである場合、液晶パネル１１２によって変調された３Ｄ画像を表す光は、レンズ（非図示）によって、画像表示装置１０の前面に設置されたスクリーン（非図示）に投射される。
【００２７】
表示タイミング制御部１０６は、外部（例えば、パーソナルコンピューター、サーバー、放送局）、又は、画像制御部１０２から表示タイミングを取得する。表示タイミング制御部１０６は、外部から表示タイミングを取得した場合には、外部から取得した表示タイミングを、画像制御部１０２及び同期信号生成部１０８に出力する。また、表示タイミング制御部１０６は、画像制御部１０２から表示タイミングを取得した場合には、画像制御部１０２から取得した表示タイミングを、同期信号生成部１０８に出力する。
【００２８】
同期信号生成部１０８は、表示タイミング制御部１０６から表示タイミングを取得する。同期信号生成部１０８は、表示タイミング制御部１０６から表示タイミングを取得した場合、表示タイミング制御部１０６から取得した表示タイミングと、調整情報記憶部１９０に記憶されているタイミング調整情報とに従って、３Ｄメガネ２０に送信する同期信号を生成する。
【００２９】
以下、同期信号生成部１０８が３Ｄメガネ２０に送信する同期信号のうち、表示タイミングに基づく同期信号を第１の同期信号という。また、同期信号生成部１０８が３Ｄメガネ２０に送信する同期信号のうち、第１の同期信号をタイミング調整情報に基づいて調整（補正）した調整（補正）後の同期信号を第２の同期信号という。なお、同期信号生成部１０８の詳細は後述する。
【００３０】
同期信号生成部１０８は、同期信号（第１の同期信号又は第２の同期信号）を生成した場合、生成した同期信号を同期信号送信部１２２に出力する。なお、同期信号送信部１２２に出力された同期信号は、３Ｄメガネ２０に送信され、シャッター部２４０の駆動タイミングを制御するシャッター駆動信号の生成に用いられる。つまり、同期信号生成部１０８は、同期信号を生成することによって、３Ｄメガネ２０のシャッター部２４０の駆動タイミングを制御する。
【００３１】
同期信号送信部１２２は、同期信号生成部１０８から同期信号を取得する。同期信号送信部１２２は、同期信号生成部１０８から同期信号を取得した場合、同期信号生成部１０８から取得した同期信号を無線通信によって３Ｄメガネ２０に送信する。なお、「無線通信」とは、伝送路として線を使わない通信である。画像表示装置１０と３Ｄメガネ２０間の無線通信として、３Ｄメガネ２０が１つの場合には赤外線通信又はブルートゥースを利用し、３Ｄメガネ２０が複数の場合にはブルートゥースを利用してもよい。
【００３２】
調整情報受信部１２４は、３Ｄメガネ２０から調整情報（タイミング調整情報、輝度レベル調整情報）を受信する。調整情報受信部１２４は、３Ｄメガネ２０からタイミング調整情報を受信した場合、３Ｄメガネ２０から受信したタイミング調整情報を調整情報記憶部１９０に記憶する。また、調整情報受信部１２４は、３Ｄメガネ２０から輝度レベル調整情報を受信した場合、３Ｄメガネ２０から受信した輝度レベル調整情報を調整情報記憶部１９０に記憶する。
【００３３】
なお、タイミング調整情報とは、３Ｄ画像の表示タイミングと、３Ｄメガネ２０との同期を調整するための情報であって、シャッター部２４０の駆動タイミングを変更するための情報である。より詳細には、タイミング調整情報とは、同期信号生成部１０８が、第１の同期信号から第２の同期信号を生成する際に参照する参照情報（映像の明るさとクロストークのバランスを調整するために参照される情報）である。換言すれば、映像の明るさとクロストークのバランスをタイミング調整情報によって調整される前の既定（標準）の同期信号が第１の同期信号に相当し、映像の明るさとクロストークのバランスをタイミング調整情報によって調整された後の同期信号が第２の同期信号に相当する。なお、タイミング調整情報は、メガネ制御タイミング変更情報とも称する。
【００３４】
輝度レベル調整情報とは、３Ｄ画像の輝度レベルを調整するための情報である。タイミング調整情報及び輝度レベル調整情報は、３Ｄメガネ２０において入力され、３Ｄメガネ２０から送信される情報である。
【００３５】
調整情報記憶部１９０は、調整情報受信部１２４によって受信されたタイミング調整情報及び輝度レベル調整情報を記憶する。なお、タイミング調整情報は、同期信号生成部１０８及び発光タイミング制御部１０４ａによって参照され、輝度レベル調整情報は輝度レベル制御部１０４ｂによって参照される。
【００３６】
なお、画像表示装置１０は、複数のタイミング調整情報を受信した場合、即ち、複数の３Ｄメガネ２０の夫々において入力され、夫々の３Ｄメガネ２０から送信された夫々のタイミング調整情報を受信した場合には、以下のように動作する。
【００３７】
調整情報記憶部１９０は、調整情報受信部１２４によって受信された夫々のタイミング調整情報を記憶する。同期信号生成部１０８は、表示タイミングと、調整情報記憶部１９０に記憶されている夫々のタイミング調整情報とに従って、夫々の３Ｄメガネ２０に送信する夫々の同期信号（第１の同期信号又は第２の同期信号）を生成する。発光タイミング制御部１０４ａは、表示タイミングと、調整情報記憶部１９０に記憶されている夫々のタイミング調整情報のうち左目用画像及び右目用画像の透過時間（シャッター開口時間）を最大に調整するタイミング調整情報とに従って、光源の発光タイミングを制御する。
【００３８】
また、画像表示装置１０は、複数の輝度レベル調整情報を受信した場合、即ち、複数の３Ｄメガネ２０の夫々において入力され、夫々の３Ｄメガネ２０から送信された夫々の輝度レベル調整情報を受信した場合には、以下のように動作する。
【００３９】
調整情報記憶部１９０は、調整情報受信部１２４によって受信された夫々の輝度レベル調整情報を記憶する。輝度レベル制御部１０４ｂは、調整情報記憶部１９０に記憶されている夫々の前記輝度レベル調整情報のうち輝度レベルを最大に調整する輝度レベル調整情報に従って、３Ｄ画像の輝度レベルを制御する。
【００４０】
（３Ｄメガネ２０）
３Ｄメガネ２０は、通信部２２０、シャッター駆動部２３０、シャッター部２４０及び調整情報受付部２８０を備える。通信部２２０は、同期信号受信部２２２及び調整情報送信部２２４を有する。シャッター駆動部２３０は、信号解析部２３２及び駆動信号生成部２３４を有する。シャッター部２４０は、それぞれ液晶パネルを含む左目シャッター２４０Ｌ、及び右目シャッター２４０Ｒを有する。
【００４１】
調整情報受付部２８０は、ユーザーから調整情報（タイミング調整情報、輝度レベル調整情報）の入力（設定）を受け付ける。調整情報送信部２２４は、調整情報受付部２８０によって受け付けられた調整情報を無線通信によって画像表示装置１０に送信する。
【００４２】
同期信号受信部２２２は、無線通信によって、画像表示装置１０から同期信号（第１の同期信号又は第２の同期信号）を受信する。具体的には、調整情報送信部２２４によって、シャッター部２４０の駆動タイミングを調整する旨のタイミング調整情報（例えば、タイミング設定値「０」以外）を送信していない場合、若しくは、シャッター部２４０の駆動タイミングを調整しない旨のタイミング調整情報（例えば、タイミング設定値「０」）を送信していた場合には、同期信号受信部２２２は、画像表示装置１０から第１の同期信号を受信する。また、調整情報送信部２２４によって、シャッター部２４０の駆動タイミングを調整する旨のタイミング調整情報を送信していた場合には、同期信号受信部２２２は、画像表示装置１０から第２の同期信号を受信する。同期信号受信部２２２は、画像表示装置１０から同期信号を受信した場合、画像表示装置１０から受信した同期信号を信号解析部２３２に出力する。
【００４３】
信号解析部２３２は、同期信号受信部２２２から同期信号を取得する。信号解析部２３２は、同期信号受信部２２２から同期信号を取得した場合、同期信号受信部２２２から取得した同期信号を解析する。具体的には、信号解析部２３２は、プロトコル記憶部（非図示）に記憶されているプロトコル情報を用いて同期信号を解析する。信号解析部２３２は、同期信号の解析結果を駆動信号生成部２３４に出力する。
【００４４】
駆動信号生成部２３４は、信号解析部２３２から同期信号の解析結果を取得する。駆動信号生成部２３４は、信号解析部２３２から同期信号の解析結果を取得した場合、信号解析部２３２から取得した同期信号の解析結果に基づいて、シャッター部２４０を駆動させるシャッター駆動信号（左目シャッター２４０Ｌの液晶パネルの透過率、及び、右目シャッター２４０Ｒの液晶パネルの透過率を制御する信号）を生成する。駆動信号生成部２３４は、生成したシャッター駆動信号をシャッター部２４０に出力する。
つまり、シャッター駆動部２３０（信号解析部２３２、駆動信号生成部２３４）は、画像表示装置１０から受信した同期信号に基づいてシャッター駆動信号を生成し、シャッター駆動信号による駆動タイミングでシャッター部２４０を駆動させている。
【００４５】
シャッター部２４０は、駆動信号生成部２３４からシャッター駆動信号を取得する。シャッター部２４０は、駆動信号生成部２３４からシャッター駆動信号を取得した場合、駆動信号生成部２３４から取得したシャッター駆動信号に従って、左目シャッター２４０Ｌ、右目シャッター２４０Ｒを交互に駆動させる。つまり、シャッター部２４０の左目シャッター２４０Ｌは、シャッター駆動信号に従って、画像表示装置１０が表示する３Ｄ画像（例えば、プロジェクターが投射した３Ｄ画像、３Ｄテレビが表示する３Ｄ画像）の左目用画像を透過し、右目用画像を遮断する。一方、右目シャッター２４０Ｒは、画像表示装置１０が表示する３Ｄ画像の右目用画像を透過し、左目用画像を遮断する。これにより、３Ｄメガネ２０を通して３Ｄ画像を視た場合、ユーザーの左目と右目に交互に、左目用画像と右目用画像とが透過され、意図したように３Ｄ画像を見ることができる。
【００４６】
ここで、３Ｄメガネ２０は、画像表示装置１０から第１の同期信号を受信した場合には、映像の明るさとクロストークのバランスに関し、標準的なバランスの３Ｄ画像をユーザーに提供する。一方、３Ｄメガネ２０は、画像表示装置１０から第２の同期信号を受信した場合には、映像の明るさとクロストークのバランスに関し、標準的なバランスから調整（補正）したバランスの３Ｄ画像をユーザーに提供する。
【００４７】
図２は、本発明の第１の実施形態による調整情報に関する画面例である。３Ｄメガネ２０は、表示部（非図示）を備え、表示部に調整情報に関する画面を表示する。例えば、３Ｄメガネ２０は、図２（ａ）に示すようなタイミング調整情報に関する画面、図２（ｄ）に示すような輝度レベル調整情報に関する画面を表示する。図２（ａ）の画面は当該３Ｄメガネ２０におけるタイミング調整情報（タイミング設定値）を表し、図２（ｃ）の画面は当該３Ｄメガネ２０における輝度レベル調整情報（輝度レベル設定値）を表している。
なお、３Ｄメガネ２０（調整情報受付部２８０）においてユーザーから入力された調整情報は、画像表示装置１０（調整情報記憶部１９０）に保持されるが、図２（ａ）の画面を表示するため、３Ｄメガネ２０内にも保持しておく。
【００４８】
ユーザーは、図２（ａ）の画面において、タイミング設定値（「−５０」〜「＋５０」。初期値「０」）を設定する。例えば、ユーザーは、映像の明るさとクロストークのバランスに関し、映像の明るさを優先させるときはマイナスの値を設定する。また、ユーザーは、映像の明るさとクロストークのバランスに関し、クロストークの削減を優先（以下、「画質の優先」とも称する）させるときはプラスの値を設定する。図２（ａ）の三角は設定値を示している（図２（ａ）の場合、明るさ優先（タイミング設定値「−３０」）に設定されている旨を示している）。なお、ユーザーは、３Ｄメガネ２０上のハードボタン（ＰＵＳＨスイッチ、スライドスイッチ等。非図示）を用いてタイミング設定値を変更（増減）する。
【００４９】
また、ユーザーは、図２（ｄ）の画面において、輝度レベル設定値（「−１０」〜「＋１０」。初期値「０」）を設定する。例えば、ユーザーは、映像の明るさを増加させるときはプラスの値を設定する。また、ユーザーは、映像の明るさを抑えるときはマイナスの値を設定する。図２（ｄ）の三角は設定値を示している（図２（ｄ）の場合、明るさを抑えるように（輝度レベル設定値「−２」）に設定されている旨を示している）。なお、ユーザーは、３Ｄメガネ２０上のハードボタンを用いて輝度レベル設定値を変更（増減）する。
【００５０】
なお、３Ｄメガネ２０は、図２（ａ）の画面に代えて図２（ｂ）又は図２（ｃ）の画面を表示してもよい。また、３Ｄメガネ２０は、図２（ｄ）の画面に代えて図２（ｅ）又は図２（ｆ）の画面を表示してもよい。図２（ｂ）の画面を表示する場合、ユーザーは、図２（ａ）の画面を表示する場合と同様、３Ｄメガネ２０上のハードボタンを用いてタイミング設定値を変更し、図２（ｃ）の画面を表示する場合、ユーザーは、画面上に設けられた増減ボタン（プラスボタン、マイナスボタン）を用いてタイミング設定値を変更する。図２（ｅ）（ｆ）の画面において輝度レベル設定値を変更する場合も同様である。
【００５１】
図３は、本発明の第１の実施形態による調整情報の記憶例である。画像表示装置１０の調整情報記憶部１９０は、図３（ａ）に示すように、各３Ｄメガネ２０のタイミング調整情報及び輝度レベル調整情報を記憶する。図３（ａ）の場合、調整情報記憶部１９０は、３Ｄメガネ名と、３Ｄメガネ識別情報と、タイミング調整情報と、輝度レベル調整情報とを対応付けて記憶している。なお、各３Ｄメガネ２０は、自身のタイミング調整情報及び輝度レベル調整情報を記憶している。例えば、３ＤメガネＢは、図３（ｂ）に示すように、自身のタイミング調整情報及び輝度レベル調整情報を記憶している。
【００５２】
図４〜図６は、本発明の第１の実施形態における、タイミング調整情報と、生成される同期信号と、３Ｄメガネ２０（シャッター装置）の駆動タイミングとの関係を説明する説明図である。具体的には、図４は、３ＤメガネＡにおいて入力されたタイミング調整情報（図３参照）と、３ＤメガネＡに送信するために生成された同期信号（第１の同期信号）と、３ＤメガネＡの駆動タイミングとの関係を説明する説明図である。図５は、３ＤメガネＢにおいて入力されたタイミング調整情報（図３参照）と、３ＤメガネＢに送信するために生成された同期信号（第１、第２の同期信号）と、３ＤメガネＢの駆動タイミングとの関係を説明する説明図である。図６は、３ＤメガネＣにおいて入力されたタイミング調整情報（図３参照）と、３ＤメガネＣに送信するために生成された同期信号（第１、第２の同期信号）と、３ＤメガネＣの駆動タイミングとの関係を説明する説明図である。
【００５３】
なお、図４〜図６において、映像信号Ｒは右目用画像、映像信号Ｌは左目用画像である。破線は、左目用画像及び右目用画像の透過時間の中心時刻である。「Ｒ＿ｏｐｅｎ」「Ｒ＿ｃｌｏｓｅ」「Ｌ＿ｏｐｅｎ」「Ｌ＿ｃｌｏｓｅ」は同期信号である。具体的には、「Ｒ＿ｏｐｅｎ」は右目シャッター２４０Ｒのオープン（透過開始）信号、「Ｒ＿ｃｌｏｓｅ」は右目シャッター２４０Ｒのクローズ（透過終了）信号、「Ｌ＿ｏｐｅｎ」は左目シャッター２４０Ｌのオープン信号、「Ｌ＿ｃｌｏｓｅ」は左目シャッター２４０Ｌのクローズ信号である。また、図４〜図６において、右目シャッター透過率は右目シャッター２４０Ｒの液晶パネルの透過率、左目シャッター透過率は左目シャッター２４０Ｌの液晶パネルの透過率である。
【００５４】
（３ＤメガネＡの制御）
同期信号生成部１０８は、まず、図４に示すように、表示タイミングに基づいて同期信号（第１の同期信号）を生成する。続いて、同期信号生成部１０８は、調整情報記憶部１９０から３ＤメガネＡのタイミング調整情報（タイミング設定値「０」）を読み出して、第１の同期信号の調整（補正）を要しないと解釈（判断）する。続いて、同期信号生成部１０８は、同期信号送信部１２２を介して、第１の同期信号を３ＤメガネＡに送信する。
一方、３ＤメガネＡは、自身宛の同期信号（第１の同期信号）を受信し、図４に示すように、シャッター部２４０の駆動タイミングを制御する。
【００５５】
（３ＤメガネＢの制御）
同期信号生成部１０８は、まず、図５に示すように、表示タイミングに基づいて同期信号（第１の同期信号）を生成する。続いて、同期信号生成部１０８は、調整情報記憶部１９０から３ＤメガネＢのタイミング調整情報（タイミング設定値「−３０」）を読み出して、第１の同期信号に対する明るさ優先の調整（補正）を要すると解釈（判断）し、タイミング設定値「−３０」に基づいて第１の同期信号を補正して第２の同期信号を生成する。具体的には、同期信号生成部１０８は、図５に示すように、第１の同期信号による左目用画像及び右目用画像の透過時間（シャッター開口時間）の中心時刻を変化させないように、タイミング設定値「−３０」分に相当する時間、オープンのタイミングを早くし、クローズのタイミングを遅くする。中心時刻を変化させないのは、なるべく、左目用画像と右目用画像との切り替わり部分（図中の点線内）を見えないようにするためである。続いて、同期信号生成部１０８は、同期信号送信部１２２を介して、第２の同期信号を３ＤメガネＢに送信する。
一方、３ＤメガネＢは、自身宛の同期信号（第２の同期信号）を受信し、図５に示すように、シャッター部２４０の駆動タイミングを制御する。つまり、３ＤメガネＢの場合、３ＤメガネＡに比べ、透過時間が拡大する（画像が明るくなる）。
【００５６】
（３ＤメガネＣの制御）
同期信号生成部１０８は、まず、図６に示すように、表示タイミングに基づいて同期信号（第１の同期信号）を生成する。続いて、同期信号生成部１０８は、調整情報記憶部１９０から３ＤメガネＣのタイミング調整情報（タイミング設定値「＋２０」）を読み出して、第１の同期信号に対する画質優先の調整（補正）を要すると解釈（判断）し、タイミング設定値「＋２０」に基づいて第１の同期信号を補正して第２の同期信号を生成する。具体的には、同期信号生成部１０８は、図６に示すように、第１の同期信号による左目用画像及び右目用画像の透過時間の中心時刻を変化させないように、タイミング設定値「＋２０」分に相当する時間、オープンのタイミングを遅くし、クローズのタイミングを早くする。続いて、同期信号生成部１０８は、同期信号送信部１２２を介して、第２の同期信号を３ＤメガネＣに送信する。
一方、３ＤメガネＣは、自身宛の同期信号（第２の同期信号）を受信し、図６に示すように、シャッター部２４０の駆動タイミングを制御する。つまり、３ＤメガネＣの場合、３ＤメガネＡに比べ、透過時間が縮小する（クロストークが削減する）。
【００５７】
図７は、本発明の第１の実施形態による光源１１４の制御例である。図７において、タイミング調整情報Ｂは、３ＤメガネＢおいて入力されたタイミング調整情報（図３、５参照）である。また、輝度レベル調整情報Ｃは、３ＤメガネＣおいて入力された輝度レベル調整情報（図３参照）である。
【００５８】
光源制御部１０４（発光タイミング制御部１０４ａ）は、画像制御部１０２から表示タイミングを取得した場合、画像制御部１０２から取得した表示タイミングと、調整情報記憶部１９０に記憶されている夫々のタイミング調整情報のうち左目用画像及び右目用画像の透過時間を最大に調整するタイミング調整情報とに従って、光源１１４の発光タイミングを制御する。また、光源制御部１０４（輝度レベル制御部１０４ｂ）は、画像制御部１０２から表示タイミングを取得した場合、調整情報記憶部１９０に記憶されている夫々の輝度レベル調整情報のうち輝度レベルを最大に調整する輝度レベル調整情報に従って、３Ｄ画像の輝度レベルを制御する。
【００５９】
例えば、図３に示すように、３ＤメガネＡのタイミング設定値「０」、３ＤメガネＢのタイミング設定値「−３０」、及び、３ＤメガネＣのタイミング設定値「＋２０」が調整情報記憶部１９０に記憶されている場合、タイミング設定値「０」「−３０」「＋２０」のうち、透過時間を最大に調整するタイミング設定値は、タイミング設定値「−３０」である（図４〜図６参照）。従って、光源制御部１０４（発光タイミング制御部１０４ａ）は、画像制御部１０２から取得した表示タイミングと、調整情報記憶部１９０に記憶されているタイミング設定値「−３０」とに従って、図７に示すように、光源１１４の発光タイミングを制御する。より詳細には、光源制御部１０４（発光タイミング制御部１０４ａ）は、図中の一点鎖線にて示したように、少なくとも当該タイミング設定値「−３０」による同期信号Ｂによる透過時間において、光源１１４が発光するように、光源１１４の発光タイミングを制御する。つまり、光源制御部１０４は、３ＤメガネＡ、３ＤメガネＢ、３ＤメガネＣのうち、最も明るい画像（透過時間を最大の画像）を表示する３ＤメガネＢに合わせて、光源１１４の発光タイミングを制御する。
【００６０】
また、図３に示すように、３ＤメガネＡの輝度レベル設定値「０」、３ＤメガネＢの輝度レベル設定値「−２」、及び、３ＤメガネＣの輝度レベル設定値「＋５」が調整情報記憶部１９０に記憶されている場合、輝度レベル設定値「０」「−２」「＋５」のうち、輝度レベルを最大に調整する輝度レベル調整情報は、輝度レベル設定値「＋５」である。従って、光源制御部１０４（輝度レベル制御部１０４ｂ）は、調整情報記憶部１９０に記憶されている輝度レベル設定値「＋５」に従って、図７に示すように、３Ｄ画像の輝度レベル（発光時の明るさ）を制御する。
【００６１】
以下、図８及び図９を参照して、画像表示システム１の動作を説明する。図８及び図９は、本発明の第１の実施形態による、画像表示装置１０及び３Ｄメガネ２０（シャッター装置）を含む画像表示システム１の動作の一例を示すフローチャートである。図８（ａ）は調整情報の取得に関する動作であって、左側は３Ｄメガネ２０の動作、右側は画像表示装置１０の動作を表している。図８（ｂ）は調整情報による３Ｄメガネ２０の制御に関する動作であって、左側は画像表示装置１０の動作、右側は３Ｄメガネ２０の動作を表している。また、図９（ａ）は図８（ｂ）のステップＳ１００の詳細を表し、図９（ｂ）は図８（ｂ）のステップＳ２００の詳細を表している。
【００６２】
図８（ａ）のフローチャートは、３Ｄメガネ２０の調整情報受付部２８０が、ユーザーから調整情報（タイミング調整情報又は輝度レベル調整情報）の入力を受け付けることにより開始する。調整情報受付部２８０は、入力された調整情報を内部に記憶するとともに、調整情報送信部２２４に出力する。調整情報送信部２２４は、調整情報受付部２８０から取得した調整情報を画像表示装置１０に送信する（ステップＳ１０）。画像表示装置１０の調整情報受信部１２４は、３Ｄメガネ２０から調整情報を受信し（ステップＳ２０）、調整情報記憶部１９０に記憶する（ステップＳ２２）。そして、図８（ａ）のフローチャートは終了する。
【００６３】
図８（ｂ）のフローチャートは、画像表示装置１０の画像制御部１０２が３Ｄ画像を取得することにより開始する。なお、表示タイミング制御部１０６は、表示タイミング（信号）を外部から取得し、画像制御部１０２及び同期信号生成部１０８に出力するものとする。
【００６４】
画像制御部１０２は、表示タイミング制御部１０６から取得した表示タイミングを光源制御部１０４に出力するとともに、表示タイミング制御部１０６から取得した表示タイミングにて、３Ｄ画像を液晶パネル１１２に出力する（ステップＳ３０）。
【００６５】
光源制御部１０４は、光源１１４を制御する（ステップＳ１００）。具体的には、光源制御部１０４（発光タイミング制御部１０４ａ）は、画像制御部１０２から取得した表示タイミングと調整情報記憶部１９０に記憶されているタイミング調整情報（タイミング設定値）とに従って、光源１１４の発光タイミングを制御し、光源制御部１０４（輝度レベル制御部１０４ｂ）は、調整情報記憶部１９０に記憶されている輝度レベル調整情報（輝度レベル設定値）に従って、３Ｄ画像の輝度レベルを制御する。
【００６６】
より詳細には、図９（ａ）に示すように、発光タイミング制御部１０４ａは、調整情報記憶部１９０に記憶されているタイミング設定値（複数のタイミング設定値が記憶されている場合には全てのタイミング設定値）がゼロであるか否かを判断する（ステップＳ１１０）。
【００６７】
タイミング設定値がゼロの場合（ステップＳ１１０：Ｙｅｓ）、発光タイミング制御部１０４ａは、標準の発光タイミングを設定する（ステップＳ１１２）。つまり、発光タイミング制御部１０４ａは、画像制御部１０２から取得した表示タイミングに基づく発光タイミングを設定する。一方、タイミング設定値がゼロ以外の場合（ステップＳ１１０：Ｎｏ）、発光タイミング制御部１０４ａは、タイミング設定値に応じた発光タイミングを設定する（ステップＳ１１４）。つまり、発光タイミング制御部１０４ａは、調整情報記憶部１９０に記憶されている夫々のタイミング設定値のうち左目用画像及び右目用画像の透過時間を最大に調整するタイミング設定値に従って発光タイミングを設定する。
【００６８】
ステップＳ１１２又はステップＳ１１４に続いて、輝度レベル制御部１０４ｂは、調整情報記憶部１９０に記憶されている輝度レベル設定値（複数の輝度レベル設定値が記憶されている場合には全ての輝度レベル設定値）がゼロであるか否かを判断する（ステップＳ１２０）。
【００６９】
輝度レベル設定値がゼロの場合（ステップＳ１２０：Ｙｅｓ）、輝度レベル制御部１０４ｂは、標準の輝度レベル（初期値）を設定する（ステップＳ１２２）。一方、輝度レベル設定値がゼロ以外の場合（ステップＳ１２０：Ｎｏ）、輝度レベル制御部１０４ｂは、輝度レベル設定値に応じた輝度レベルを設定する（ステップＳ１２４）。つまり、輝度レベル制御部１０４ｂは、調整情報記憶部１９０に記憶されている夫々の輝度レベル設定値のうち輝度レベルを最大に調整する輝度レベル設定値に従って３Ｄ画像の輝度レベルを設定する。
【００７０】
ステップＳ１２２又はステップＳ１２４に続いて、光源制御部１０４（発光タイミング制御部１０４ａ、輝度レベル制御部１０４ｂ）は、設定した発光タイミング、設定した輝度レベルで駆動するように光源１１４を制御する（ステップＳ１３０）。そして、図９（ａ）のフローチャートは終了し、図８（ｂ）のフローチャートのステップＳ２００に進む。
【００７１】
ステップＳ１００（ステップＳ１３０）に続いて、同期信号生成部１０８は、３Ｄメガネ２０に送信する同期信号を生成する（ステップＳ２００）。具体的には、同期信号生成部１０８は、表示タイミング制御部１０６から取得した表示タイミングと、調整情報記憶部１９０に記憶されているタイミング調整情報とに従って、各３Ｄメガネ２０に送信する同期信号を生成する（ステップＳ１００）。
【００７２】
具体的には、図９（ｂ）に示すように、同期信号生成部１０８は、まず、タイミング制御部１０６から取得した表示タイミングに基づいて第１の同期信号を生成する（ステップＳ２１０）。続いて、同期信号生成部１０８は、調整情報記憶部１９０に記憶されているタイミング設定値（複数のタイミング設定値が記憶されている場合には全てのタイミング設定値）がゼロであるか否かを判断する（ステップＳ２２０）。即ち、同期信号生成部１０８は、少なくとも１つの３Ｄメガネ２０に対する第２の同期信号の生成（第１の同期信号の補正）の要否を判断する。
【００７３】
タイミング設定値がゼロの場合（ステップＳ２２０：Ｙｅｓ）、即ち、全ての３Ｄメガネ２０に対する第２の同期信号の生成（第１の同期信号の補正）を要しない場合、図９（ｂ）のフローチャートは終了し、図８（ｂ）のフローチャートのステップＳ３２に進む。一方、タイミング設定値がゼロ以外の場合（ステップＳ２２０：Ｎｏ）、即ち、少なくとも１つの３Ｄメガネ２０に対する第２の同期信号の生成（第１の同期信号の補正）を要する場合、同期信号生成部１０８は、当該３Ｄメガネ２０に送信する第２の同期信号を生成する（ステップＳ２３０）。具体的には、同期信号生成部１０８は、当該３Ｄメガネ２０のタイミング調整値に基づいて第１の同期信号を補正して当該３Ｄメガネ２０に送信する第２の同期信号を生成する。そして、図９（ｂ）のフローチャートは終了し、図８（ｂ）のフローチャートのステップＳ３２に進む。
【００７４】
同期信号生成部１０８は、ステップＳ２００において生成した同期信号（第１の同期信号又は第２の同期信号）を同期信号送信部１２２に出力し、同期信号送信部１２２は、同期信号生成部１０８によって生成された同期信号（第１の同期信号又は第２の同期信号）を３Ｄメガネ２０に送信する（ステップＳ３２）。
【００７５】
３Ｄメガネ２０の同期信号受信部２２２は、画像表示装置１０から同期信号を受信する（ステップＳ４０）。信号解析部２３２は、同期信号受信部２２２によって受信された同期信号を解析し、解析結果を駆動信号生成部２３４に出力する。駆動信号生成部２３４は、信号解析部２３２が解析した解析結果に基づいてシャッター駆動信号を生成し、シャッター部２４０に出力し、左目シャッター２４０Ｌ、右目シャッター２４０Ｒを駆動させる（ステップＳ４２）。そして、図８（ｂ）のフローチャートは終了する。
【００７６】
（第２の実施形態）
以下、本発明の第２の実施形態について図面を参照して詳細に説明する。図１０は、本発明の第２の実施形態による、画像表示装置１１及び３Ｄメガネ２０（シャッター装置）を含む画像表示システム２の機能ブロック図の一例である。
【００７７】
画像表示システム２は、図１０に示すように、画像表示装置１１と制御装置４０と３Ｄメガネ２０とを備える。画像表示システム２は、画像表示装置１０の一部の構成を分離し、制御装置４０としたものである。画像表示システム２の３Ｄメガネ２０の構成は、画像表示システム１の３Ｄメガネ２０と同様である。また、図１０において１つの３Ｄメガネ２０を示したが、画像表示システム２は複数の３Ｄメガネ２０を備えていてもよい。
【００７８】
（画像表示装置１１）
画像表示装置１１は、制御部１４０、画像表示部１１０、通信部１５０及び調整情報記憶部１９０を備える。制御部１４０は、画像制御部１０２、光源制御部１０４及び表示タイミング制御部１０６を有する。光源制御部１０４は、発光タイミング制御部１０４ａ（符号のみ図示）及び輝度レベル制御部１０４ｂ（符号のみ図示）を有する。画像表示部１１０は、液晶パネル１１２及び光源１１４を有する。通信部１５０は、表示タイミング送信部１５２及び調整情報受信部１５４を有する。
【００７９】
表示タイミング送信部１５２は、表示タイミング制御部１０６から表示タイミングを取得する。表示タイミング送信部１５２は、表示タイミング制御部１０６から表示タイミングを取得した場合、表示タイミング制御部１０６から取得した表示タイミングを無線通信によって制御装置４０に送信する。調整情報受信部１５４は、制御装置４０から調整情報（タイミング調整情報又は輝度レベル調整情報）を受信する。調整情報受信部１５４は、制御装置４０から調整情報を受信した場合、制御装置４０から取得した調整情報を調整情報記憶部１９０に記憶する。
【００８０】
（制御装置４０）
制御装置４０は、同期信号生成部４０８、通信部４２０及び調整情報記憶部４９０を備える。通信部４２０は、同期信号送信部４２２、調整情報受信部４２４、表示タイミング受信部４２６及び調整情報送信部４２８を有する。
【００８１】
表示タイミング受信部４２６は、画像表示装置１１から表示タイミングを受信する。表示タイミング受信部４２６は、画像表示装置１１から表示タイミングを取得した場合、画像表示装置１１から取得した表示タイミングを同期信号生成部４０８に出力する。
【００８２】
同期信号生成部４０８は、表示タイミング受信部４２６から表示タイミングを取得する。同期信号生成部４０８は、表示タイミング受信部４２６から表示タイミングを取得した場合、表示タイミング受信部４２６から取得した表示タイミングと、調整情報記憶部４９０に記憶されているタイミング設定値とに従って、３Ｄメガネ２０に送信する同期信号（第１の同期信号又は第２の同期信号）を生成する。なお、同期信号生成部４０８による同期信号の生成方法は、画像表示システム１の画像表示装置１０の同期信号生成部１０８による同期信号の生成方法と同様である。
【００８３】
同期信号送信部４２２は、同期信号生成部４０８から同期信号を取得する。同期信号送信部４２２は、同期信号生成部４０８から同期信号を取得した場合、同期信号生成部４０８から取得した同期信号を無線通信によって３Ｄメガネ２０に送信する。調整情報受信部４２４は、３Ｄメガネ２０から調整情報（タイミング調整情報又は輝度レベル調整情報）を受信する。調整情報受信部４２４は、３Ｄメガネ２０から調整情報を受信した場合、３Ｄメガネ２０から受信した調整情報を調整情報記憶部４９０に記憶する。調整情報記憶部４９０は、調整情報受信部４２４によって受信された調整情報を記憶する。
【００８４】
調整情報送信部４２８は、調整情報記憶部４９０に記憶されている調整情報を読み出して、無線通信によって画像表示装置１１に送信する。なお、画像表示装置１１に送信された調整情報（タイミング調整情報又は輝度レベル調整情報）は、画像表示装置１１の光源制御部１０４によって光源１１４の制御に用いられる。つまり、調整情報送信部４２８は、調整情報を送信することによって、画像表示装置１１の光源１１４を制御する。
【００８５】
以上、第１、第２の実施形態を説明したが、第１の実施形態に記載の画像表示装置１０及び、第２の実施形態に記載の制御装置４０は、３Ｄメガネにおいて入力されたタイミング調整情報に応じた同期信号を生成し、３Ｄメガネ２０に送信するため、画像表示装置１０及び制御装置４０によれば、ユーザーは、適宜、３Ｄメガネ２０においてタイミング調整情報を入力し、３Ｄメガネ２０の駆動タイミング（透過時間）を調整し、自身の感覚にあった明るさとクロストークのバランスにおいて３Ｄ画像を視聴することができるようになる。
【００８６】
例えば、クロストークが強くなるが明るさをあげたい場合は、オープン信号を出力してからクローズ信号を出力するまでの透過時間を長くすればよい。つまり、図５に示すように、タイミング調整情報（タイミング設定値）をマイナスの値にすればよい。逆に、明るさを犠牲にしてクロストークを弱くしたい場合は、オープン信号を出力してからクローズ信号を出力するまでの透過時間を短くすればよい。つまり、図６に示すように、タイミング調整情報（タイミング設定値）をプラスの値にすればよい。
【００８７】
また、画像表示装置１０（１１）及び制御装置４０は、３Ｄメガネにおいて入力されたタイミング調整情報及び輝度レベル調整情報に応じて光源１１４を制御することができる。例えば、タイミング調整情報（タイミング設定値）に応じて透過時間を長くした場合にはランプ発光時間も長くなるように制御され、透過時間を短くした場合にはランプ発光時間も短くなるように制御される（図７参照）。従って、必要な光を確保しつつ、節電することができる。また、上記制御とは別に、輝度レベル調整情報（輝度レベル設定値）によって、３Ｄ画像の輝度レベルを制御することができる。
【００８８】
なお、上記実施形態では、同期信号として「Ｒ＿ｏｐｅｎ」「Ｒ＿ｃｌｏｓｅ」「Ｌ＿ｏｐｅｎ」「Ｌ＿ｃｌｏｓｅ」を使用したが、使用する同期信号はこれに限定されない。例えば、上記に加えて更に、右目シャッター２４０Ｒのオープンと左目シャッター２４０Ｌのクローズとを同時に制御する「Ｒ＿ｏｐｅｎ＆Ｌ＿ｃｌｏｓｅ」、左目シャッター２４０Ｌのオープンと右目シャッター２４０Ｒのクローズとを同時に制御する「Ｌ＿ｏｐｅｎ＆Ｒ＿ｃｌｏｓｅ」を使用してもよい。
【００８９】
また、上記実施形態では、調整情報の設定方法として、−５０（最小値）〜＋５０（最大値）の範囲を細かなステップ（例えば、ピッチ１）にて設定する方法を示したが、タイミング調整情報の設定方法はこれに限定されない。例えば、「明るさ優先モード」「標準モード」「画質優先モード」の３段階のモードを設けるようにしてもよい。輝度レベル調整情報の設定方法についても同様である。
【００９０】
また、上記実施形態では、光変調装置として透過型の液晶パネルを用いた例を説明したが、光変調装置は透過型の液晶パネルに限定されない。例えば、光変調装置としてデジタル・マイクロミラー・デバイス（ＤＭＤ：Ｄｉｇｉｔａｌ  Ｍｉｃｒｏ−Ｍｉｒｒｏｒ  Ｄｅｖｉｃｅ）や、反射型の液晶パネル等を用いて、光源からの光を変調する構成にしてもよい。また、小型ＣＲＴ（陰極線管）上の映像を被投写面に投写するＣＲＴプロジェクターでもよい。
【００９１】
また、上記実施形態では、画像表示装置１０、１１は透過型の表示デバイス（液晶パネル）を備えたが、自発光型の表示デバイス（プラズマディスプレイパネル、有機ＥＬパネル）を備えてもよい。
【００９２】
また、上記実施形態では、タイミング調整情報を第２の同期信号の生成と発光タイミング制御とに用いたが、タイミング調整情報を光源制御に用いずに第２の同期信号の生成のみに用いるようにしてもよい。また、上記実施形態では、輝度レベル調整情報を用いて３Ｄ画像の輝度レベルを制御したが、輝度レベルを制御しなくてもよい。換言すれば、画像表示装置１０（１１）は、画像制御部１０２から取得した表示タイミングと調整情報記憶部１９０に記憶されている調整情報（タイミング制御情報、輝度レベル制御情報）とに従って光源１１４を制御する光源制御部１０４に代えて、画像制御部１０２から取得した表示タイミングのみに従って光源１１４を制御する光源制御部を備えるようにしてもよい。光源制御に調整情報を用いない構成であっても、３Ｄメガネの夫々について、映像の明るさとクロストークのバランスを調整することは可能である。なお、光源制御に調整情報を用いない構成の場合、画像表示システム２において、制御装置４０−画像表示装置１１間の調整情報の送受信等（調整情報送信部４２８、調整情報受信部１５４、調整情報記憶部１９０）は不要となる。
【００９３】
なお、本発明の各実施形態による画像表示装置１０（１１）、制御装置４０、３Ｄメガネ２０の処理を実行するためのプログラムをコンピューター読み取り可能な記録媒体に記録して、当該記録媒体に記録されたプログラムをコンピューターシステムに読み込ませ、実行することにより、画像表示装置１０（１１）、制御装置４０、３Ｄメガネ２０の処理を実現させてもよい。なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００９４】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Dynamic Random Access Memory））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【００９５】
以上、この発明の実施形態について詳述してきたが、具体的な構成はこの実施形態に限られるものではなく、この発明の要旨を逸脱しない範囲の設計等も含まれる。
【符号の説明】
【００９６】
１、２…画像表示システム  １０、１１…画像表示装置  ２０…３Ｄメガネ  ４０…制御装置  １００、１４０…制御部  １０２…画像制御部  １０４…光源制御部  １０４ａ…発光タイミング制御部  １０４ｂ…輝度レベル制御部  １０６…表示タイミング制御部  １０８…同期信号生成部  １１０…画像表示部  １１２…液晶パネル  １１４…光源  １２０、１５０…通信部  １２２…同期信号送信部  １２４…調整情報受信部  １５２…表示タイミング送信部  １５４…調整情報受信部  １９０…調整情報記憶部  ２２０…通信部  ２２２…同期信号受信部  ２２４…調整情報送信部  ２３０…シャッター駆動部  ２３２…信号解析部  ２３４…駆動信号生成部  ２４０…シャッター部  ２４０Ｌ…左目シャッター  ２４０Ｒ…右目シャッター  ２８０…調整情報受付部  ４０８…同期信号生成部  ４２０…通信部  ４２２…同期信号送信部  ４２４…調整情報受信部  ４２６…表示タイミング受信部  ４２８…調整情報送信部  ４９０…調整情報記憶部
【図１】
2013214921.tif 000003
【図２】
2013214921.tif 000004
【図３】
2013214921.tif 000005
【図４】
2013214921.tif 000006
【図５】
2013214921.tif 000007
【図６】
2013214921.tif 000008
【図７】
2013214921.tif 000009
【図８】
2013214921.tif 000010
【図９】
2013214921.tif 000011
【図１０】
2013214921.tif 000012